(57)【要約】      （修正有）【課題】マットレスの有する体圧分散性や通気性を確保することができるマットレスカバーを提供する。【解決手段】マットレスカバーは、相互に間隔をもって編成される第一編地２および第二編地３と、第一編地２および第二編地３との間に形成される中層４とを有する立体編物５から形成され、第一編地２および第二編地３は、縦方向および横方向のいずれにも連続したフラットな編地組織にて編成され、中層４は、編み組織によって縦方向および横方向に弾性的に伸縮可能な伸縮生地からなり、立体編物５が２ｍｍ以上１０ｍｍ以下の厚さを有し、立体編物５の縦横の伸縮率が１０％以上３０％以下である。【選択図】図２
0003227409.tif 000002
【実用新案登録請求の範囲】
【請求項１】
相互に間隔をもって編成される第一編地および第二編地と、前記第一編地および第二編地との間に形成され中層とを有する立体編物から形成され、前記立体編物の縦横の伸縮率が１０％以上３０％以下であるマットレスカバー。
【請求項２】
前記立体編物が２ｍｍ以上１０ｍｍ以下の厚さを有するものである請求項１に記載のマットレスカバー。
【考案の詳細な説明】
【技術分野】
【０００１】
この考案は、ベッドに用いられるマットレスの上面を覆うマットレスカバーに関する。
【背景技術】
【０００２】
従来から、ベッドに用いられるマットレスには、反発性に優れ、寝返りがし易やすいものや、通気性が良く蒸れないものなどの特徴を備えたものが多数提案されている。このようなマットレスは、例えば、上面にプロファイル加工を施した軟質ポリウレタンフォームから製作したものや、熱可塑性樹脂からなるフィラメントを三次元的に融着結合したものなどが知られている。
【０００３】
このようなマットレスは、単独で使用することは少なく、通常、その上面をマットレスカバーで覆っている。このマットレスカバーは、就寝者の汗の吸収や、マットレスの汚れの防止、肌触りを高めるなどに使用されている。このようなマットレスカバーとしては、例えば、特許文献１に示すように、一枚の生地で製作されているものが知られている。
【先行技術文献】
【特許文献】
【０００４】
【特許文献１】実用新案登録第３１０９４５０号公報
【考案の概要】
【考案が解決しようとする課題】
【０００５】
特許文献１に記載されたマットレスカバーは、一枚の生地で製作されるマットレスカバーに上面が覆われるマットレスの上部は、就寝者の寝返りによって、三次元的に変位することを妨げられる。その結果、マットレスの反発性などが妨げられる。また、一枚の生地で製作されるマットレスカバーは、就寝者の身体との間に空気層が形成されないことから、通気性に問題があった。
【０００６】
そこで、この考案が解決しようとする課題は、マットレスの特化した反発性や通気性を確保することができるマットレスカバーを提供することにある。
【課題を解決するための手段】
【０００７】
前記の課題を解決するために、この考案に係るマットレスカバーとしては、相互に間隔をもって編成される第一編地および第二編地と、前記第一編地および第二編地との間に形成される中層とを有する立体編物から形成され、前記立体編物の縦横の伸縮率が１０％以上３０％以下である構成を採用することができる。
【０００８】
この構成では、マットレスの上面にマットレスカバーを敷いている状態では、就寝者の体重による荷重がマットレスに掛かると、マットレスは弾性変形する。このとき、立体編物は、弾性変形するマットレスの上面の形状に追従し、下向きに湾曲するように縦方向および横方向に伸縮する。下向きに湾曲する立体編物は、就寝者側に位置する第一編地は内向きに、マットレス側に位置する第二編地は外向きに、中層を介してそれぞれ独立して伸縮して変位する。このような立体編物の第一編地と第二編地との変位によって、マットレスの三次元的な弾性変形が妨げられない。
【０００９】
また、立体編物は、中層の存在により第一編地と第二編地との間に空気層が形成された状態となるので、通気性が良好なものとなる。
【００１０】
前記立体編物が２ｍｍ以上１０ｍｍ以下の厚さを有するものである構成を採用すると、中層の弾性的な適度な伸縮が第一編地と第二編地のそれぞれの縦横の伸縮と相まって、マットレスの反発力の大きさとその反発力の向きを変化させることなく、就寝者に伝えることができる。
【考案の効果】
【００１１】
以上のように、この考案に係るマットレスカバーは、立体編物が伸縮するとともに、第一編地と第二編地とが中層を介してそれぞれ独立して変位するので、マットレスの三次元的な弾性変形を妨げず、マットレスの反発性を確保することができる。また、中層の存在により、第一編地と第二編地との間に空気層が形成されるので、マットレスの通気性を確保することができる。
【図面の簡単な説明】
【００１２】
【図１】この考案の実施形態に係るマットレスカバーの斜視図
【図２】図１のＡ−Ａ線における断面図
【図３】同上の第一編地の拡大平面図
【図４】同上のマットレスカバーの使用状態を示す断面図
【図５】同上のマットレスカバーの使用状態での作用を示す概略図
【考案を実施するための形態】
【００１３】
以下、この考案の実施形態に係るマットレスカバーを図面に基づいて説明する。図１から図５に示すように、この実施形態に係るマットレスカバー１は、ベッド（図示省略）に使用されるマットレス１０の上面に敷かれるものである。マットレスカバー１は、就寝者側に位置する第一編地２と、マットレス１０側に位置する第二編地３と、第一編地２と第二編地３との間に設けられる中層４とを有する三層構造となる立体編物５から形成される。
【００１４】
図３に示すように、第一編地２および第二編地３は、縦方向（ウェール方向）、横方向（コース方向）のいずれにも連続したフラットな編地組織にて編成されている。第一編地２および第二編地３を編成する地編糸６は、例えば、綿、竹繊維、麻、ウール等の天然繊維、ポリエステル、ナイロン６、ナイロン６６、ポリエチレン、ポリプロピレン、ポリウレタン等の合成繊維、またはレーヨンなどの再生繊維、あるいは、これらの繊維を２種以上組み合わせたマルチフィラメントから構成されている。なお、第一編地２および第二編地３は、メッシュ等の透孔組織に編成してもよく、地編糸６はモノフィラメントから構成してもよい。
【００１５】
地編糸６の太さは、地編糸６が綿、麻またはウールなどの天然繊維から構成される場合は、２０〜５０番手のものが使用され、地編糸６が合成繊維や再生繊維から構成される場合、１５０〜６００デニールのものが使用される。地編糸６の太さが５０番手を超える場合または１５０デニール未満の場合では、第一編地２および第二編地３の腰の強さが小さくなり好ましくない。一方、２０番手未満または６００デニールを超える場合、編成作業が難しくなり、第一編地２および第二編地３の表面の風合が低下するおそれがある。
【００１６】
中層４は、第一編地２と第二編地３との間に形成され、編み組織によって縦方向および横方向に弾性的に伸縮可能な伸縮生地からなる。中層４は、第一編地２と第二編地３とを所定の間隔を有する状態とするものである。中層４は、例えば、ポリエステル、ナイロン６、ナイロン６６、ポリエチレン、ポリプロピレンなどの合成繊維、あるいはこれらの繊維を２種類以上組み合わせたモノフィラメントから構成されている。中層４の太さは、１５０〜６００デニールのものが使用される。
【００１７】
中層４および地編糸６を構成する繊維は、丸形、三角、Ｌ形、Ｔ形、扁平、多角形、中空形や不定形なものでもよい。中層４および地編糸６を構成する繊維は、未着色でもよく、着色されていてもよい。中層４および地編糸６の形態は、未加工糸、紡績糸、撚糸、仮撚加工糸、流体噴射加工糸などを採用することができる。
【００１８】
立体編物５は、矩形のシート状に構成されており、２ｍｍ以上１０ｍｍ以下の厚さを有している。立体編物５の大きさは、シングル、ダブル、セミダブルなどのサイズであるマットレス１０の上面の一部または全部を覆う大きさを有している。立体編物５の大きさが、マットレス１０の上面の一部を覆う大きさを有している場合、例えば、就寝者の腰部のみに接する状態とすることができる。また、立体編物５の大きさが、マットレス１０の上面の全部を覆う大きさを有していれば、立体編物５としては、マットレス１０の上面の全部のみならず、マットレス１０の側面から下面の一部まで覆う状態に巻き込むように使用するものであってもよい。
【００１９】
立体編物５の厚さが２ｍｍ未満であれば、立体編物５を三次元的に伸縮させることが難しくなり、マットレス１０の有する反発力の方向を変化させるおそれがある。立体編物５の厚さが１０ｍｍ以上であれば、マットレス１０自体の反発力が立体編物５によって緩衝されて、マットレス１０自体の反発力が就寝者に伝わらない。
【００２０】
また、立体編物５は、伸縮していない自然状態を基準として、縦方向および横方向の伸縮率が１０％以上３０％以下となるものである。伸縮率が１０％未満であれば、就寝者の荷重の掛かるマットレス１０の弾性変形に追従して立体編物５を縦方向および横方向へ伸縮させることが困難となり、マットレスの反発性などの機能が損なわれる。一方、伸縮率が３０％を超えても、上述のマットレス１０の弾性変形に対する追従性は向上しない。なお、立体編物５は、中層４により第一編地２と第二編地３とに所定の間隔が形成されている状態で、第一編地２と第二編地３とを複数箇所で連結する押さえ糸を有するものであってもよい。
【００２１】
この考案に係る実施形態のマットレスカバー１は、第一編地２と、第二編地３と、第一編地２と第二編地３との間に形成される中層４との三層構造の立体編物５から構成されている。立体編物５は縦方向および横方向の伸縮率が１０％以上３０％以下となっている。図４に示すように、本実施形態のマットレスカバー１は、マットレス１０の上面に敷いて使用されている。このマットレス１０は、例えば、プロファイル加工を施した軟質ポリウレタンフォームから製作されており、上部に多数の凸部１０ａが一体に形成されている。マットレスカバー１は第一編地２が上向きとなる状態となっている。
【００２２】
図５に示すように、就寝者の体重による荷重がマットレス１０に掛かると（図５中の矢印参照）、凸部１０ａが弾性変形する。このとき、立体編物５は、弾性変形する多数の凸部１０ａの頂部により形成された上面（マットレス１０の上面）の形状に追従し、下向きに湾曲するように縦方向および横方向に伸縮する。
【００２３】
下向きに湾曲する立体編物５は、中層４を介して、就寝者側に位置する第一編地２が内向きに、マットレス側に位置する第二編地３が外向きにそれぞれ独立して変位する。このような立体編物５の第一編地２および第二編地３の変位によって、マットレス１０の凸部１０ａの三次元的は弾性変形が妨げられない。三次元的に弾性変形するマットレス１０の凸部１０ａは、その復元力（反発力）によって、立体編物５を介して就寝者を支えるので、マットレス１０の反発性を確保することができる。
【００２４】
また、図２に示すように、第一編地２および第二編地３との間に形成される中層４の存在により空気層が形成される。さらに、図３に示すように、第一編地２および第二編地３はこれらを編成する地編糸６の間に形成される網目から空気の出入りが可能となる。このため、マットレスカバー１は通気性が良好なものとなり、マットレス１０の上面に敷かれたマットレスカバー１は、マットレス１０が有する通気性を確保することができる。
【符号の説明】
【００２５】
１  マットレスカバー
２  第一編地
３  第二編地
４  中層
５  立体編物
６  地編糸
１０  マットレス
１０ａ  凸部
【図１】
0003227409.tif 000003
【図２】
0003227409.tif 000004
【図３】
0003227409.tif 000005
【図４】
0003227409.tif 000006
【図５】
0003227409.tif 000007
【手続補正書】
【提出日】令和2年5月26日(2020.5.26)
【手続補正１】
【補正対象書類名】実用新案登録請求の範囲
【補正対象項目名】請求項１
【補正方法】変更
【補正の内容】
【請求項１】
相互に間隔をもって編成される第一編地および第二編地と、前記第一編地および第二編地との間に形成され中層とを有する立体編物から形成され、前記第一編地および第二編地は、縦方向および横方向のいずれにも連続したフラットな編地組織にて編成され、前記中層は、編み組織によって縦方向および横方向に弾性的に伸縮可能な伸縮生地からなり、前記立体編物の縦横の伸縮率が１０％以上３０％以下であるマットレスカバー。